(57)【特許請求の範囲】
【請求項１】
光源と、この光源を点灯させる点灯手段と、この点灯手段に対して前記光源の光出力を制御する調光制御部を備えた照明制御装置において、
前記調光制御部は、電源回路を実装した電源基板と、前記電源回路より受電して動作しセンサ信号を出力するセンサ回路を実装したセンサ基板と、前記電源回路より受電して動作し前記センサ信号に応じて光出力を制御する制御回路を実装した制御基板とを有し、
前記センサ基板の長さ方向の両側に、前記電源基板と前記制御基板を前記センサ基板に対して平行または直角に配置し、前記制御基板と前記センサ基板の隣接端部間および前記電源基板と前記センサ基板の隣接端部間をそれぞれ信号線で接続し、前記制御基板と前記電源基板の間の電源供給や信号のやり取りを前記センサ基板を介して行うことを特徴とする照明制御装置。
【請求項２】
前記制御基板と前記電源基板は、前記センサ基板に対して直角または水平に可動となるように接続手段により電気的かつ機械的に接続されている請求項１記載の照明制御装置。
【請求項３】
前記制御基板と前記電源基板を、前記センサ基板に対して直角にしたとき、前記センサ基板の幅＞前記電源基板の部品高さ、または前記センサ基板の幅＞前記制御基板の部品高さの関係にある請求項２記載の照明制御装置。
【請求項４】
前記制御基板および前記電源基板の少なくとも一方の表裏に同じコネクタが接続できるコネクタ受けが実装されている請求項２または請求項３記載の照明制御装置。
【請求項５】
前記センサ基板に実装された抵抗を含む素子の電気的特性を調整する調整機構が前記センサ基板にあり、前記制御基板と前記電源基板を前記センサ基板に対して直角になるようにした場合、前記調整機構が調整可能なように、前記制御基板と前記電源基板の部品が配置される請求項１、請求項２または請求項３記載の照明制御装置。
【請求項６】
前記調光制御部は器具本体に収納され、前記制御基板と前記電源基板を前記センサ基板に対して直角になるように位置決めする位置決め部を前記器具本体に有する請求項１または請求項２記載の照明制御装置。
【請求項７】
前記調光制御部は器具本体に収納され、前記制御基板と前記電源基板を前記センサ基板に対して水平になるように前記器具本体に保持し、前記器具本体の一部を前記基板で保持するようにした請求項１または請求項２記載の照明制御装置。
【発明の詳細な説明】
【０００１】
【発明の属する技術分野】
この発明は、照明制御装置に関するものである。
【０００２】
【従来の技術】
照明制御装置は、人の在・不在を検知する人感センサと、下面の反射光量を検知する明るさセンサを具備して、人の在・不在の情報などにより照明器具のランプ出力による下面（床面等）からの反射光を、照明制御装置に設けた明るさセンサで検知し、一定の反射光（明るさセンサ値）になるように、照明器具の調光レべルをフィードバック制御することで、被照射面を一定の明るさに制御などを行う。
【０００３】
または、人感センサのみを具備し、人の在・不在の情報などにより照明器具のランプ出力を変化させる。さらに、明るさセンサのみを具備し、ランプ出力による下面からの反射光を、照明制御装置に設けた明るさセンサで検知し、一定の反射光（明るさセンサ値）になるように、照明器具の調光レべルをフィードバック制御することで、被照射面を一定の明るさに制御などを行う。
【０００４】
例えば図１５に示す照明制御装置は、照明器具１００のランプ出力による床面１０３からの反射光Ｐ1 を、調光制御部１０２に設けた明るさセンサ１０１で検知し、一定の反射光（明るさセンサ値）になるように、照明器具１００の調光レべルをフィードバック制御することで、被照射面（床面１０３等）を一定の明るさに制御する。この明るさセンサ１０１の値等はリモコン１０４によって調整および設定していた。１１０はリモコン受信部である。
【０００５】
このような照明制御装置は図１６に示すような回路構成になっている。すなわち、電源基板１０５は、マイコンや周辺回路、調光信号用の回路、外部連動を行うオープンコレクタ等の回路、センサ等への電源供給を行う各種電源回路が実装されている。制御基板１０６は、マイコンや周辺回路、調光信号用の回路、外部連動を行うオープンコレクタ等の回路が実装されている。基本機能としては、マイコンでは、センサの信号出力を一定に保つように、調光信号により、照明器具の明るさをフィードバック制御を行う。その他、外部機器との連動も行う。センサ基板１０７は、明るさセンサ１０１や人感センサや設定手段としてのリモコン回路やスイッチ等が実装されている。また、明るさセンサのばらつきを調整するためのボリュームも実装されている。
【０００６】
このような照明制御装置では、図１７（ａ）に示すような３枚のＰ板（プリント基板）を立体的に組み立てる構造のものがあった。器具の外観は図１７（ｂ）に示す。このＰ板は、電源基板１０５と制御基板１０６とセンサ基板１０７よりなる。各基板間は信号線Ｌ1 、Ｌ2 によりコネクタ１０９を介して接続されている。制御基板１０６と電源基板１０５間は、信号線Ｌ2 で接続されている。制御基板１０６とセンサ基板１０７間は信号線Ｌ1 により接続されている。信号線Ｌ1 は、主にセンサ信号とセンサ回路の電源、スイッチやリモコンなどの設定回路への入出力と回路への電源等が配線されている。信号線Ｌ2 は、電源回路からのマイコンや外部照明器具へ調光信号用電源、センサへの電源等が配線されている。
【０００７】
【発明が解決しようとする課題】
図１８に示すように器具の構造の展開を行つた場合、すなわち、基板が同一面となるように開いたとき、信号線Ｌ1 が長くなり、ノイズ等の影響を受けやすくなる。特に、センサ基板１０７ヘの電源ラインが延びることになり、誤動作が起きやすくなる。なぜなら、一般的にセンサ基板１０７は微弱な信号を増幅しており、高インピーダンスでありノイズ等には弱い。
【０００８】
また、信号線Ｌ2 が伸びることにより、電源信号（信号線Ｌ2 ）より、ノイズを逆に外に輻射しやすくなる。センサ基板１０７上に、センサの調整用にボリュームが実装されている場合信号線Ｌ2 が邪魔になる。
【０００９】
また、このような照明制御装置は、天井面に直接取付けられたり埋め込まれたりする。
【００１０】
制御基板１０６に外部機器との連動用に、外部コネクタ１０８が実装されており、図１７の器具では、外部コネクタ１０８が天井裏で配線できたが、図１８においては、器具の表面（下面）で、配線するようになり、危険で、見栄えもよくないものであつた。
【００１１】
従来では、共通の基板で各種器具に適用できるように展開を行うと、構造上やノイズ面で問題となり、従って容易に器具展開ができなかった。
【００１２】
したがって、この発明の目的は、共通の基板にて器具展開が容易に行え、かつノイズ等の品質上信頼性の高い照明制御装置を提供することである。
【００１３】
【課題を解決するための手段】
請求項１記載の照明制御装置は、光源と、この光源を点灯させる点灯手段と、この点灯手段に対して前記光源の光出力を制御する調光制御部を備えた照明制御装置において、
前記調光制御部は、電源回路を実装した電源基板と、前記電源回路より受電して動作しセンサ信号を出力するセンサ回路を実装したセンサ基板と、前記電源回路より受電して動作し前記センサ信号に応じて光出力を制御する制御回路を実装した制御基板とを有し、
前記センサ基板の長さ方向の両側に、前記電源基板と前記制御基板を前記センサ基板に対して平行または直角に配置し、前記制御基板と前記センサ基板の隣接端部間および前記電源基板と前記センサ基板の隣接端部間をそれぞれ信号線で接続し、前記制御基板と前記電源基板の間の電源供給や信号のやり取りを前記センサ基板を介して行うことを特徴とするものである。
【００１４】
請求項１記載の照明制御装置によれば、センサ基板上のセンサ回路の電源、その他の電源や信号線が最短で配線できるためノイズによる影響を極力抑えることができ、かつ外部に対してのノイズ輻射も極力おさえることができる。
【００１５】
請求項２記載の照明制御装置は、請求項１において、前記制御基板と前記電源基板は、前記センサ基板に対して直角または水平に可動となるように接続手段により電気的かつ機械的に接続されているものである。
【００１６】
請求項２記載の照明制御装置によれば、請求項１と同様な効果のほか、信号や電源の配線条件を崩すことなく、制御基板と電源基板をセンサ基板に対して、直角や水平に動かすことが可能となり、共通の基板により各種器具への展開が容易に行える。
【００１７】
請求項３記載の照明制御装置は、請求項２において、前記制御基板と前記電源基板を、前記センサ基板に対して直角にしたとき、前記センサ基板の幅＞前記電源基板の部品高さ、または前記センサ基板の幅＞前記制御基板の部品高さの関係にある。
【００１８】
請求項３記載の照明制御装置によれば、請求項２と同様な効果のほか、部品の再配置や再選定を行うことなく、絶縁基板または電源基板をセンサ基板に対して、直角や水平に動かすことができる。
【００１９】
請求項４記載の照明制御装置は、請求項２または請求項３において、前記制御基板および前記電源基板の少なくとも一方の表裏に同じコネクタが接続できるコネクタ受けが実装されているものである。
【００２０】
請求項４記載の照明制御装置によれば、請求項２または請求項３と同様な効果のほか、器具を展開することなく、信号線を適切な方向から挿入できるようになる。
【００２１】
請求項５記載の照明制御装置は、請求項１、請求項２または請求項３において、前記センサ基板に実装された抵抗を含む素子の電気的特性を調整する調整機構が前記センサ基板にあり、前記制御基板と前記電源基板を前記センサ基板に対して直角になるようにした場合、前記調整機構が調整可能なように、前記制御基板と前記電源基板の部品が配置されるものである。
【００２２】
請求項５記載の照明制御装置によれば、請求項１、請求項２または請求項３と同様な効果のほか、器具の展開によらずに調整が可能になる。
【００２３】
請求項６記載の照明制御装置は、請求項１または請求項２において、前記調光制御部は器具本体に収納され、前記制御基板と前記電源基板を前記センサ基板に対して直角になるように位置決めする位置決め部を前記器具本体に有するものである。
【００２４】
請求項６記載の照明制御装置によれば、請求項１または請求項２と同様な効果のほか、基板を共通にして器具の展開によらずに保持が可能になる。よって、共通の基板にて、器具展開が容易に行え、かつ、ノイズ等の品質上、信頼性の高いものを得ることができた。
【００２５】
請求項７記載の照明制御装置は、請求項１または請求項２において、前記調光制御部は器具本体に収納され、前記制御基板と前記電源基板を前記センサ基板に対して水平になるように前記器具本体に保持し、前記器具本体の一部を前記基板で保持するようにしたものである。
【００２６】
請求項７記載の照明制御装置によれば、請求項１または請求項２と同様な効果がある。
【００２７】
【発明の実施の形態】
この発明の第１の実施の形態を図１により説明する。図１５について説明したように、光源と点灯手段を有する照明器具１００のランプ出力による下面（床面１０３等）からの反射光を、制御装置に設けた調光制御部を構成する明るさセンサ１０１で検知し、一定の反射光（明るさセンサ値）になるように照明器具１００の調光レべルをフィードバック制御することで、被照射面を一定の明るさに制御する。この明るさセンサ１０１の値等は、リモコン１０４によつて調整および設定する。この制御装置の調光制御部を備える回路構成は、図１６に示す通りである。
【００２８】
この実施の形態の照明制御装置は、図１に示すように、３枚の基板で構成されている。基板は、おもに電源基板１と制御基板２とセンサ基板３となっており、センサ基板３は中央に位置している。
【００２９】
図１に示すように、制御基板２とセンサ基板３、電源基板１とセンサ基板３は信号線Ｍ1 、Ｍ2 で結ばれる。センサ回路用の電源は、電源基板１から、信号線Ｍ1 を介して、基板上のパターンを通じて、直接供給される。センサ回路用の電源パターンは、センサ基板３で止まる。
【００３０】
制御基板２で使われる電源については、センサ基板３上のパターンを通して、信号線Ｍ2 を介して、制御基板２へ電源が供給される。
【００３１】
その他の信号（センサ出力、リモコン入出力等）については、信号線Ｍ2 を介して、センサ基板３と制御基板２間でやり取りが行われる。
【００３２】
第１の実施の形態により、センサ回路の電源、その他の電源および信号線が最短で配線されるため、ノイズによる影響を極力おさえることができ、かつ外部に対してのノイズ輻射も極力おさえることができた。例えば直付け器具および埋込器具ともに共用できるようになった。
【００３３】
この発明の第２の実施の形態を図２により説明する。すなわち、第１の実施の形態において、制御基板２と電源基板１は、センサ基板３に対して直角（同図（ａ）の場合）または水平（同図（ｂ）の場合）に可動できるように、屈曲性の高いフラットケーブルや回動可能なコネクタなどの接続手段４で図２のように基板間を接続する。
【００３４】
第２の実施の形態により、信号および電源の配線条件を崩すことなく、電源基板１および制御基板２をセンサ基板３に対して、直角や水平に動かすことができ、各種タイプの照明器具に共用でき、器具の展開が容易になった。
【００３５】
その他は、第１の実施の形態と同様である。
【００３６】
この発明の第３の実施の形態を図３により説明する。すなわち、第２の実施の形態において、制御基板２と電源基板１を同図（ａ）に示すように、センサ基板３に対して直角にしたとき、センサ基板３の幅Ａ、電源基板１上の部品５の高さＢとするとセンサ基板３の長さＡを、部品の高さＢに対して長くなるように基板の設計を行う。同様に制御基板２上の部品の高さもセンサ基板３の長さＡよりも短くしている。さらに制御基板２の部品と電源基板１の部品５とが相互に当たる配置のときは部品同士が衝突しないようにさらに高さが制限される。また部品５の配置に関してはセンサ基板３の部品との衝突を避けるように考慮する。
【００３７】
第３の実施の形態により、部品５の再配置や再選定を行うことなく、電源基板１および制御基板２をセンサ基板３に対して直角や同図（ｂ）のように水平に動かすことができ、器具の展開が容易になった。
【００３８】
この発明の第４の実施の形態を図４および図５により説明する。第２の実施の形態において、制御基板２に制御信号用コネクタ受け１７を設けたものである。コネクタ１３は、図４（ａ）に示すようにコネクタ１３の表側に線挿入口１０を有し、図（ｂ）に示すようにピン１１を示す。このコネクタ１３はピン１１が千鳥配置になっている。またピン１１の配置についてはストレートでも同様である。
【００３９】
図４（ｃ）に制御基板２を示す。図４（ｃ）は制御基板２の表面であり、一側にコネクタ受け１７が設けてある。図４（ｄ）は表面用の穴、図４（ｅ）は裏面用の穴を示す。制御基板２のコネクタ受け１７にコネクタ１３のピン１１が実装可能な穴があいているが、それぞれ制御基板２の表面・裏面からコネクタ１３が実装可能なように、図（ｄ）や図（ｅ）に示すように表面用の穴（黒の表示）と裏面用の穴（点の表示）があけられている。このため、器具の展開によつて基板の表裏いずれかより制御信号用のコネクタ１３が実装可能になった。したがって、実施の形態により、図５（ａ）に示すようにケース１２に収納された３つの基板１〜３の折曲状態の制御基板２の裏面側から信号線を挿入したり、図５（ｂ）に示すようにケース１２′に収納された３つの基板１〜３の展開状態の制御基板２の表面側から信号線を挿入することができ、器具の種類によらず、信号線を適切な方向から挿入できるようになった。なお、電源基板１にも電源用コネタクを上記のように設けることもできる。
【００４０】
この発明の第５の実施の形態を図６および図７により説明する。すなわち、センサ基板３において、図７に示すようにセンサ素子として例えばフォトダイオードＰＤ１等を使用し、微弱な電流をオペアンプＯＰ１、ＯＰ２等を用いたＩ−Ｖ変換回路や増幅回路等を組み合わせて信号増幅を行っているが、素子や抵抗のばらつきを抑えるために、可変抵抗のボリューム１５等の調整機構で調整を行う必要がある。このボリューム１５はノイズ面において、オペアンプの近くに実装される必要がある。したがって、センサ基板３にボリューム１５があり、図６（ｂ）に示すように制御基板２と電源基板１をセンサ基板３に対して直角になるようにした場合、ボリュームバーが調整可能なように制御基板２と電源基板１の部品が配置される。
【００４１】
この調整を行うのに、図５に示すような器具展開を行った場合、図６（ａ）の器具の場合は問題ないが、図６（ｂ）の器具ではセンサ基板３の上方に電源基板１の部品５が位置する可能性があり、部品５が邪魔になり、センサ基板３のボリューム１５を調整できない。そこで、センサ基板３のサイズを、電源基板１上の部品５の高さ＋αのサイズに設定、あるいは高い部品５を避けて、ボリューム１５の位置の決定を行うようにする。
【００４２】
第５の実施の形態により、器具の展開によらずに、調整が可能になった。
【００４３】
この発明の第６の実施の形態を図８から図１０により説明する。すなわち、図１７のように制御基板２と電源基板１を、センサ基板３に対して直角になるように器具にて位置決めを行う。２２は円筒状の器具本体、２３は上蓋、２４は器具本体２２の周壁の孔に引っ掛けるフック２４ａのあるカバー、２５はブッシング、２６はフィルタ、２７は器具本体２２を天井裏に固定するための取付ばね、３０は電源端子台である。実施の形態の位置決め部は図１０に示すように、制御基板２と電源基板１を内周面と内周面の軸方向に形成した突条２８、２９と、センサ基板３の両側を挟持する一対のばね（図示せず）からなっており、制御基板２と電源基板１を先に突条２８、２９とそれらに隣接する内周面間に挿入され一対のばねでセンサ基板３を挟持することにより全体が器具内に保持される。センサ基板３と制御基板２および電源基板１は接続手段４として屈曲可能なフラットケーブルの剛性による。
【００４４】
この発明の第７の実施の形態を図１１から図１４により説明する。すなわち、図１１において、２５は図８と同様なブッシング、２６は図８と同様なセンサ感度補正フィルタアクリル、３０は図８と同様な電源端子台、３２は小カバー、３５は大カバー、３９は制御ブロックカバー、４０は器具本体である。
【００４５】
図１２において、大カバー３５が器具本体４０に取付けられ、大カバー３５内に制御ブロックカバー３９が収納され、その内側に制御ブロックの基板１〜３が収納され、小カバー３２が基板１、２に爪３３により係止されている。
【００４６】
図１３に示すように、制御基板２と電源基板１を、センサ基板３に対して水平すなわち略面一になるようにして器具にて位置決めを行う。位置決めは大カバー３５の内側に位置した支持壁３６の内側面に形成した段部３７と、この段部３７の上側に設けた係止爪３８の間に係止爪３８側から基板１〜３の周縁を押し込んで保持している。
【００４７】
図１４（ａ）に基板全体の外形図を示す。電源基板１と制御基板２のほぼ真中に孔３１が空いている。図１４（ｂ）に小カバー３２の断面図を示し、周縁部に爪３３を形成している。孔３１に、小カバー３２の爪３３を、はめ込み、器具の一部分である、小カバー３２を基板１、２で保持する。４２はセンサ孔である。
【００４８】
第７の実施の形態により、器具の展開によらずにすなわち器具のタイプによらずに、基板を共通にして基板の保持が可能になった。
【００４９】
【発明の効果】
請求項１記載の照明制御装置によれば、センサ基板上のセンサ回路の電源、その他の電源や信号線が最短で配線できるためノイズによる影響を極力抑えることができ、かつ外部に対してのノイズ輻射も極力おさえることができる。
【００５０】
請求項２記載の照明制御装置によれば、請求項１と同様な効果のほか、信号や電源の配線条件を崩すことなく、制御基板と電源基板をセンサ基板に対して、直角や水平に動かすことが可能となり、共通の基板により各種器具への展開が容易に行える。
【００５１】
請求項３記載の照明制御装置によれば、請求項２と同様な効果のほか、部品の再配置や再選定を行うことなく、絶縁基板または電源基板をセンサ基板に対して、直角や水平に動かすことができる。
【００５２】
請求項４記載の照明制御装置によれば、請求項２または請求項３と同様な効果のほか、器具を展開することなく、信号線を適切な方向から挿入できるようになる。
【００５３】
請求項５記載の照明制御装置によれば、請求項１、請求項２または請求項３と同様な効果のほか、器具の展開によらずに調整が可能になる。
【００５４】
請求項６記載の照明制御装置によれば、請求項１または請求項２と同様な効果のほか、基板を共通にして器具の展開によらずに保持が可能になる。よって、共通の基板にて、器具展開が容易に行え、かつ、ノイズ等の品質上、信頼性の高いものを得ることができた。
【００５５】
請求項７記載の照明制御装置によれば、請求項１または請求項２と同様な効果がある。
【図面の簡単な説明】
【図１】この発明の第１の実施の形態における基板の平面図である。
【図２】（ａ）は基板を折曲した状態の側面図、（ｂ）は基板を開いた状態の側面図である。
【図３】（ａ）は第３の実施の形態における基板を折曲した状態の側面図、（ｂ）は基板を開いた状態の側面図である。
【図４】（ａ）は第４の実施の形態におけるコネクタの線挿入口を示す表側から見た表面図、（ｂ）はその裏側からみたピン配置の裏面図、（ｃ）はコネクタピン挿入孔を示す制御基板の表面図、（ｄ）は表面側に接続される挿入孔を示す図、（ｅ）は裏面側に接続される挿入孔を示す図である。
【図５】（ａ）は第４の実施の形態の折曲げた基板の裏面側のコネクタの接続形態を示す図、（ｂ）は広げた基板の表側のコネタクの接続形態を示す図である。
【図６】（ａ）は第５の実施の形態の広げた基板のボリュームの調整を説明する図、（ｂ）は折り曲げた基板のボリュームの調整を説明する図である。
【図７】センサ基板上のセンサ回路図である。
【図８】第６の実施の形態の分解斜視図である。
【図９】その基板の配置を示す断面図である。
【図１０】各基板の固定を示す断面図である。
【図１１】第７の実施の形態の分解斜視図である。
【図１２】基板の配置を示す概略断面図である。
【図１３】基板の固定を示す断面図である。
【図１４】（ａ）は開いた基板のカバー取付穴を示す平面図、（ｂ）はカバーの断面図である。
【図１５】照明制御装置の配線およびリモコンを示す説明図である。
【図１６】基板の構成を説明する説明図である。
【図１７】（ａ）は曲げた基板相互の配線を説明する説明図、（ｂ）はその器具設置状態の斜視図である。
【図１８】開いた基板相互の配線を説明する説明図である。
【符号の説明】
１    電源基板
２    制御基板
３    センサ基板
４    接続手段
５    部品
１３    コネクタ
１５    ボリューム
１７    コネクタ受け
２８、２９    突条
３７    段部
３８    係止爪
１００    照明器具
１０１    明るさセンサ
１０２    調光制御部
【図１】
0003896787.tif 000002
【図２】
0003896787.tif 000003
【図３】
0003896787.tif 000004
【図４】
0003896787.tif 000005
【図５】
0003896787.tif 000006
【図６】
0003896787.tif 000007
【図７】
0003896787.tif 000008
【図８】
0003896787.tif 000009
【図９】
0003896787.tif 000010
【図１０】
0003896787.tif 000011
【図１１】
0003896787.tif 000012
【図１２】
0003896787.tif 000013
【図１３】
0003896787.tif 000014
【図１４】
0003896787.tif 000015
【図１５】
0003896787.tif 000016
【図１６】
0003896787.tif 000017
【図１７】
0003896787.tif 000018
【図１８】
0003896787.tif 000019